(57)【要約】【課題】本願発明は、枚葉物、特にカードを多数枚重ね合せた積層体を装入収納して収納状態を維持する装置に関するものである。【解決手段】前記カード束９を出し入れ自在に収納するカード束収納ケース１１と、該カード束収納ケース１１に収納された前記カード束を該カード束収納ケース１１より抜き出すことができないように、係脱動作するカード束係止用ロック１７と、外部からの信号に応じて前記カード束係止用ロック１７を係脱動作させる図示されないアクチエータとを具備している。【選択図】          図３
2004248925.tif 000002
【特許請求の範囲】
【請求項１】
枚葉物を多数枚重ね合せた積層体を装入収納して収納状態を維持する装置であって、
前記積層体を出し入れ自在に収納する積層体収納手段と、
該積層体収納手段に収納された前記積層体を該積層体収納手段より抜き出すことができないように、係脱動作する積層体係止手段と、
外部からの信号に応じて前記積層体係止手段を係脱動作させるアクチエータとを具備したことを特徴とする積層体収納ロック装置。
【請求項２】
前記枚葉物はカードであって、該カードの端面にカード特定用読み取りコードが記録されており、
前記積層物収納手段に収納されたカード積層体の前記側縁部のカード特定用読み取りコードを読み取る読み取り手段を備えたことを特徴とする請求項１記載の積層体収納ロック装置。
【請求項３】
前記読み取り手段は、前記カード特定用読み取りコードが記録されたカード側縁部に照射する光照射手段と、該光照射手段により照射されたカード側縁部から反射または発光された光を受光して該カード側縁部の読み取りコードの画像を生成する撮像手段とよりなり、
前記カードの側縁部に前記読み取りコードが記録され、
前記積層体収納手段に装入収納された積層体を構成するカードの読み取りコードが付された部分に相対して前記撮像手段が配設されたことを特徴とする請求項２記載の積層体収納ロック装置。
【請求項４】
前記積層体収納手段の装入口より前記読み取り手段側に透明板が配設されたことを特徴とする請求項３記載の積層体収納ロック装置。
【請求項５】
前記積層体収納手段に前記積層体が収納された状態では、該積層体の両側縁の少なくとも一側縁が前記積層体収納手段で覆われたことを特徴とする請求項１または請求項２記載の積層体収納ロック装置。
【請求項６】
前記積層体収納手段に収納された積層体の出し入れ側端近傍に、前記積層体係止手段が設けられ、
該積層体係止手段は、前記積層体の出口端縁に係脱自在に係止することを特徴とする請求項１または請求項２記載の積層体収納ロック装置。
【請求項７】
前記アクチエータはソレノイドであって、該ソレノイドのオン・オフに対応して前記積層体係止手段は前記積層体収納手段内の収納積層体に係脱しうることを特徴とする請求項６記載の積層体収納ロック装置。
【請求項８】
前記積層体収納手段に収納された積層体の出し入れ端近傍に設けられた前記積層体係止手段は、該積層体の出し入れ端縁に係脱自在に係止しうるように揺動自在に枢支され、
前記積層体係止手段に、該積層体係止手段と同芯状のピニオンまたはセグメントギヤが一体に設けられ、
該ピニオンまたはセグメントギヤに噛み合うラックが前記ソレノイドの可動部に連結されたことを特徴とする請求項７記載の積層体収納ロック装置。
【請求項９】
前記積層体収納手段に収納された積層体を貫通する方向に光を発光する収納検出発光素子と、該発光素子から光を受光する受光素子とが、前記積層体を挟んで相対して配設され、該受光素子の検出信号で前記積層体収納手段に積層体が収納されたか否かが検出されることを特徴とする請求項１ないし請求項８いずれか記載の積層体収納ロック装置。
【請求項１０】
前記積層体収納手段に前記積層体が装入収納されていない状態では、該積層体収納手段の装入口から奥に向う積層体装入通路を閉塞し、前記積層体収納手段に前記装入収納された状態では、該積層体装入通路を開放する開閉閉塞手段が設けられたことを特徴とする請求項１ないし請求項９いずれか記載の積層体収納ロック装置。
【発明の詳細な説明】
【０００１】
【発明の属する技術分野】
本願発明は、枚葉物、特にカードを多数枚重ね合せた積層体を装入収納して収納状態を維持する装置に関するものである。
【０００２】
【従来技術】
例えば、ゲームセンタのような遊戯施設等においては、カードを使ってポーカの如きカードゲームやカード占い等を行なうカードゲーム装置が設置されている。
【０００３】
【解決しようとする課題】
前記カードゲーム装置において、プレーヤが実際のカードに触れることなく、ＣＲＴの如きディスプレイにカードの図柄を表示して、プレーヤの操作に応じてカードの図柄を変更し、あるいはカードの裏面を表示するものがある。
【０００４】
このように、プレーヤが実際にカードに触れずにプレーを行なうカードゲーム装置では、プレーヤは、カードを実際に使うカードゲームと異なったゲーム感覚を持ち、臨場感が乏しい。
【０００５】
このような不具合を解消すべく本願出願人は、読み取りコードを記録した多種類のカードの内、好みのカードを複数枚選択して重ね合わせ、これをカード読み取り装置に装入して、カードゲームを行なうカードゲーム装置を開発した。
【０００６】
しかし、カードを複数枚選択して重ね合わせた積層体をカード読み取り装置に装入して、プレーを開始した後、プレーの進行状況に応じてカード読み取り装置に装入されたカードをプレーヤが勝手に引き抜いて別なカードを装入するような不正行為を行なうと、プレーの興趣が大巾に損なわれる。
【０００７】
また、ノート、本、等を複数冊重ね、あるいは本、シート等複数枚重ねて自動販売する場合には、これらをテープ等で１ブロックに結束する必要があり、コストがかかり、さらに、１ブロックの結束冊数等の変更が著しく困難である。
【０００８】
本願発明は、このような不具合を解消することを目的とするものである。
【０００９】
【課題を解決するための手段および効果】
本願請求項１記載の発明は、枚葉物を多数枚重ね合せた積層体を装入収納して収納状態を維持する装置であって、前記積層体を出し入れ自在に収納する積層体収納手段と、該積層体収納手段に収納された前記積層体を該積層体収納手段より抜き出すことができないように、係脱動作する積層体係止手段と、外部からの信号に応じて前記積層体係止手段を係脱動作させるアクチエータとを具備したことを特徴とするものである。
【００１０】
請求項１記載の発明は、前述したように構成されているので、外部からの信号に応じて前記アクチエータを動作させ、前記積層体係止手段を係脱させることにより、枚葉物を多数重ね合わせた前記積層体を前記積層体収納手段に装入収納した収納状態を維持でき、あるいは、該積層体収納手段に収納維持された前記積層体を取り出すことができる。そして、枚葉物を多数重ねて結束するカートリッジの如き結束手段を必要としない。
【００１１】
また、請求項２記載の発明は、前記枚葉物はカードであって、該カードの端面にカード特定用読み取りコードが記録されており、前記積層物収納手段に収納されたカード積層体の前記側縁部のカード特定用読み取りコードを読み取る読み取り手段を備えたことを特徴とするものである。
【００１２】
請求項２記載の発明は、前述したように構成されているので、前記カードを前記積層物収納手段に装入収納し、この収納状態を維持できるとともに、該積層物収納手段に収納維持された前記カードを取り出すことができる。しかも、前記積層物収納手段に収納維持されたカードの側縁部のカード特定用読み取りコードを読み取り、カードゲーム装置や、その他のゲーム装置に対し所要のゲームを行ない、あるいは、その他の所要の処理を実行することができる。
【００１３】
さらに、請求項３記載の発明は、前記読み取り手段は、前記カード特定用読み取りコードが記録されたカード側縁部に照射する光照射手段と、該光照射手段により照射されたカード側縁部から反射または発光された光を受光して該カード側縁部の読み取りコードの画像を生成する撮像手段とよりなり、前記カードの側縁部に前記読み取りコードが記録され、前記積層体収納手段に装入収納された積層体を構成するカードの読み取りコードが付された部分に相対して前記撮像手段が配設されたことを特徴とするものである。
【００１４】
請求項３記載の発明は、前述したように構成されているので、前記カードに記録された読み取りコードを頗る容易にかつ正確に読み取ることができ、その後の処理を確実に実行することができる。
【００１５】
さらにまた、請求項４記載の発明は、前記積層体収納手段の装入口より前記読み取り手段側に透明板が配設されたことを特徴とするものである。
【００１６】
請求項４記載の発明は、前述したように構成されているので、人が前記積層体収納手段の装入口より棒のような細長い物を差し込んで、前記光照射手段や撮像手段を毀損することを未然に阻止できる。
【００１７】
しかも、請求項５記載の発明は、前記積層体収納手段に前記積層体が収納された状態では、該積層体の両側縁の少なくとも一側縁が前記積層体収納手段で覆われたことを特徴とするものである。
【００１８】
請求項５記載の発明は、前述したように構成されているので、前記枚葉物がたとえ側方へ弯曲し易いものであっても、該枚葉物を曲げて積層体係止手段の係止部分から外すことができず、前記積層体収納手段に収納されている枚葉物を該積層体収納手段から取り出すことを防止でき、また、新たに別な枚葉物を積層体収納手段に装入収納することも防止できる。
【００１９】
請求項６記載の発明は、前記積層体収納手段に収納された積層体の出し入れ側端近傍に、前記積層体係止手段が設けられ、該積層体係止手段は、前記積層体の出口端縁に係脱自在に係止することを特徴とするものである。
【００２０】
請求項６記載の発明は、前述したように構成されているので、前記枚葉物に係止用の凹凸等を形成しなくても、確実に前記積層体を係止することができる。
【００２１】
また、請求項７記載の発明は、前記アクチエータはソレノイドであって、該ソレノイドのオン・オフに対応して前記積層体係止手段は前記積層体収納手段内の収納積層体に係脱しうることを特徴とするものである。
【００２２】
請求項７記載の発明は、前述したように構成されているので、構造が小型、単純で、安価で、動作の応答性が高いアクチエータを得ることができる。
【００２３】
さらに、請求項８記載の発明は、前記積層体収納手段に収納された積層体の出し入れ端近傍に設けられた前記積層体係止手段は、該積層体の出し入れ端縁に係脱自在に係止しうるように揺動自在に枢支され、前記積層体係止手段に、該積層体係止手段と同芯状のピニオンまたはセグメントギヤが一体に設けられ、該ピニオンまたはセグメントギヤに噛み合うラックが前記ソレノイドの可動部に連結されたことを特徴とするものである。
【００２４】
請求項８記載の発明は、前述したように構成されているので、動作が円滑かつ確実で、コンパクトな積層体収納ロック装置を得ることができる。
【００２５】
さらにまた、請求項９記載の発明は、前記積層体収納手段に収納された積層体を貫通する方向に光を発光する収納検出発光素子と、該発光素子から光を受光する受光素子とが、前記積層体を挟んで相対して配設され、該受光素子の検出信号で前記積層体収納手段に積層体が収納されたか否かが検出されることを特徴とするものである。
【００２６】
請求項９記載の発明は、前述したように構成されているので、前記積層体収納手段に積層体が収納されているか否かを、目視によらず、容易にかつ確実に認識することができる。
【００２７】
しかも、請求項１０記載の発明は、前記積層体収納手段に前記積層体が装入収納されていない状態では、該積層体収納手段の装入口から奥に向う積層体装入通路を閉塞し、前記積層体収納手段に前記装入収納された状態では、該積層体装入通路を開放する開閉閉塞手段が設けられたことを特徴とするものである。
【００２８】
請求項１０記載の発明は、前述したように構成されているので、前記積層体収納手段に前記積層体が装入収納されていない状態において、前記閉塞手段によって、該積層体収納手段の装入口から前記積層体収納ロック装置内の内部構造を見ることを阻止することができる。
【００２９】
【発明の実施の形態】
以下、図１ないし図２３に図示された本願発明の一実施形態について説明する。
【００３０】
本実施形態では、枚葉物はカード８であって、カード８を多数重ね合せた積層体はカード束９であり、積層体収納ロック装置はカード束収納ロック装置１０である。
【００３１】
そして、カード８の短辺側の片端８ａ、または両端面８ａには、図２３に図示されるような読み取りコード８ｂが印刷等で書き込まれている。
【００３２】
また、図１ないし図２３において、前例とはプレーヤ側、左右とは、プレーヤやモニター５に向った状態でプレーヤの左右を意味している。
【００３３】
図１には、カードゲーム機１の全体が図示されており、その略中央正面にメインモニタ２を備えたゲーム機本体３が設置されるとともに、メインモニタ２の表示面に相対して、左右に４個のサテライト４が配置され、各サテライト４のモニター５の右側に、メタル投入口６とカード束収納ロック装置１０とがそれぞれ設けられている。
【００３４】
また、サテライト４のカード８の開口部（図示されず）に、カード束収納ロック装置１０のカード束収納ケース１１が嵌装され、該カード束収納ケース１１の鍔部１１ａ（図３〜図５に図示）を貫通するネジ１２でもってモニター５の本体ケース７にカード束収納ケース１１が一体に装着されている。
【００３５】
さらに、図３ないし図８に図示されるように、カード束収納ケース１１の中央にカード束装入口１１ｂが形成され、そのカード束装入口１１ｂの下半部両側から手前側に閉塞部１１ｃが一体に突出形成されるとともに、この閉塞部１１ｃよりさらに手前側にストッパ覆い１１ｄが形成されている。
【００３６】
カード束収納ロック装置１０の各部を支持するベース１３は、鋼板製で、図１１で図示されるように、上下部を外方へ直角に折曲され、さらにその端縁寄りて逆方向へ直角に折角されたハット形状に形成され、その前端部のみは、図１０および図１１に図示されるように前記ハット形状部と同方向へ直角に折角されて、カード束収納ケース１１の鍔部１１ａにその前端折曲部１３ａが当接され、前記ネジ１２でもってベース１３がカード束収納ケース１１に一体に結合されている。
【００３７】
また、ベース１３の頂壁１３ｂの手前側（図７では左側）のカード束収納ケース１１の鍔部１１ａに接近して鋼板製カードハウジング１４が配置され、このカードハウジング１４は、図１６に図示されるように、正面視で左側が開放されたコ字状をなし、カードハウジング１４の頂辺部１４ａの左端（図７では上側）は、ベース１３の頂壁１３ｂ上に当てがわれて、カードコースタ１５でベース１３に一体に装着され、カードハウジング１４の右辺部１４ｂの前端部は図１５に図示されるように、右方へ直角に折曲されてベース当接部１４ｃが形成され、該ベース当接部１４ｃはカード束収納ケース１１の鍔部１１ａに当てがわれて図示されないネジで一体に装着されている。
【００３８】
さらに、カードハウジング１４の底辺部１４ｄは、図１２、図１４に図示されるように、手前側（図１２、図１４では左側）に向って水平に延長し、その先端部分は下方へ直角に折り曲げられて垂下辺部１４ｅが形成され、さらにその垂下辺部１４ｅの前端部は手前側に向って水平に折り返えされて先端ガイド部１４ｆが形成され、垂下辺部１４ｅには図１１および図１６に図示されるように連通開口１４ｇが形成され、先端ガイド部１４ｆの左右両側に上へ直角に折り曲げられた枢支部１４ｈが形成され、右辺部１４ｂの奥側縁の上下中央部に切り欠き１４ｉが形成され、頂辺部１４ａの右側前端に軸孔１４ｊが形成されるとともに底辺部１４ｄにも軸孔１４ｊの直下に位置して図示されない軸孔が形成されている。
【００３９】
さらにまた、図１０に図示されるように、ベース１３の側壁１３ｃとカードハウジング１４の右辺部１４ｂとにカードコースタ１５が介装され、このカードコースタ１５は、図１９に図示されるように、底壁１５ａの両側部から上方へ側壁１５ｂ、１５ｃが起立して、正面視でＵ字状に形成され、カードコースタ１５の底壁１５ａは、カードハウジング１４の底辺部１４ｄ上に載置され、かつ左側壁１５ｂの端面１５ｄはベース１３の側壁１３ｃに当接されるとともに、右側壁１５ｃの端面１５ｅはカードハウジング１４の右辺部１４ｂに当接している。
【００４０】
そして、カードコースタ１５の底壁１５ａの右側部の前後略中央に切り欠きｆが形成されるとともに、カードコースタ１５の側壁１５ｂ、１５ｃの後端部の略上下中央部にも切り欠き１５ｇが形成されている。
【００４１】
また、図２０ないし図２２に図示されるロックプッシャ１６の先端部１６ａは、図１２および図１３に図示されるように、連通開口１４ｇを後方から前方に向って貫通してカードハウジング１４の先端ガイド部１４ｆ上に前後に摺動自在に載置され、カードハウジング１４の後端部１４ｂはソレノイド１８の可動片先端部１８ａにピン等で連結されており、ソレノイド１８の非通電状態では、カードハウジング１４は前方へ前進し、ソレノイド１８の通電状態では、後方へ後退しうるようになっている。
【００４２】
図９に図示されるように、側面視で１／４円状のカード束係止用ロック１７の基部１７ａがピン１７ｂによって、カードハウジング１４の枢支部１４ｈに揺動自在に枢支され、ロックプッシャ１６の先端部１６ａに設けられているラック部１６ｃに、ロック１７のピニオン部１７ｂが噛み合わされている。
【００４３】
また、カード装入通路を開閉自在に閉塞しうる開閉手段たるフラップ１９の基部の軸孔（図示されず）と、カードハウジング１４の頂辺部１４ａの軸孔１４ｊと、底辺部１４ｄの図示されない軸孔とに軸２０が挿入されて、フラップ１９が旋回自在に枢支されている。
【００４４】
さらに、カードハウジング１４、カードコースタ１５の奥側の後端面に接してカードリーダベース２１が配置され、カードリーダベース２１は、鉛直壁２１ａと、底壁２１ｂとよりなり、側面視で図９に図示されるように、Ｌ字状をなしており、底壁２１ｂの左右両側縁には、図１１に図示されるように、下方へ直角に折り曲げられた取り付け片２１ｃ、２１ｄが形成され、左側取り付け片２１ｃがベース１３の側壁１３ｃにスポット溶接等で一体に固着されるとともに、鉛直壁２１ａの左側縁にも、図１０に図示されるように、前方へ直角に取り曲げられた取り付け片２１ｅが形成され、この取り付け片２１ｅもベース１３の側壁１３ｃにスポット溶接等で一体に固着され、カードリーダベース２１の底壁２１ｂの下面に前記ソレノイド１８が一体に装着されている。
【００４５】
さらにまた、カードリーダベース２１の鉛直壁２１ａの後面には、正面視で中央部が開口され、前後方向に厚みを有した枠状に構成されたリフレクターハウジング２２が一体に装着され、リフレクターハウジング２２の略前後中央部に側面視でＵ状のゴム片２３を介してガラスの如き透明板２４が張設され、この透明板２４より後方へ僅かな間隙を存してＬＥＤホルダ２５がリフレクターハウジング２２に装着され、このＬＥＤホルダ２５の中央部には、図１１に図示されるように矩形状開口２５ａが形成され、この開口２５ａの上縁と下縁に沿って左右方向へ亘り３個計６個のＬＥＤ２６がＬＥＤホルダ２５の前面に設けられており、ＬＥＤ２６から発光された光が、カード束収納ケース１１のカード束装入口１１ｂよりカードコースタ１５内に装入されたカード束９におけるカード８の端面８ａに照射するようになっている。
【００４６】
図９および図１０に図示されるように、撮像手段たるイメージセンサ２７を装着するための平面視Ｌ字状のブラケット２８の一側片２８ａが、ベース１３の側壁１３ｃにスポット溶接等で一体に固着され、ブラケット２８の他側片２８ｂに、イメージセンサ２７が一体に装着されている。
【００４７】
また、図１１に図示されるように、ベース１３の頂壁１３ｂと側壁１３ｃと底壁１３ｄとで囲まれた空間内に位置して、コンピュータ基板２９が側壁１３ｃと平行に張設され、該コンピュータ基板２９は、イメージセンサ２７で検出されたカード８の読み取りコード８ｂのデータを処理し、各カード８の種類を判別するとともに、ソレノイド１８のオン・オフ動作を制御しうるようになっている。
【００４８】
さらに、図６に図示されるように、カードハウジング１４の右辺部１４の切り欠き１４ｉにカード装入検出センサ投光部３０が設けられるとともにベース１３の側壁１３ｃにこの切り欠き１４ｉに対応した孔に図示されないカード装入検出センサの受光部が設けられている。
【００４９】
なお、カードリーダベース２１、リフレクターハウジング２２、透明板２４、ＬＥＤホルダ２５、イメージセンサ２７等を覆うカバー３１が、図６に図示されるようにカードリーダベース２１の右側取り付け片２１ｄに取り付けられている。
【００５０】
図１ないし図２３に図示の実施形態は前述したように構成されているので、図２８のフローチャートに従ってカードゲーム機１が動作し、コンピュータ基板２９からの動作信号でソレノイド１８がオンされてソレノイド１８の可動片先端部１８ａがロックプッシャ１６とともに後方へ引かれ、これに連動してロック１７が、図１２に図示された起立ロック状態から反時計方向へ９０°揺動して図１３に図示された解除状態となる。
【００５１】
この図１３に図示された解除状態になると、カード束収納ケース１１のカード束装入口１１ｂが開放されて、プレーヤはカード束９をこのカード束装入口１１ｂからカードコースタ１５内に装入することができる。
【００５２】
図１０に図示されるように、カード束９が装入されていない状態では、フラップ１９は実線で示されるように閉塞状態であるが、カード束９が装入されると、ソレノイド１８が通電されて、ロックプッシャ１６が右方へ引かれ、ロック１７が図１３に示されるように開放され、カード束９におけるカード８の端面８ａがカードリーダベース２１の鉛直壁２１ａの前面に当接され、カード装入検出センサ投光部３０から投射された光がカード束９によって遮られ、カード装入検出センサによってカード束９の装入が検出され、その検出信号がコンピュータ基板２９に送信される。すると、ソレノイド１８の通電が停止され、ロック１７に付設されている図示されない戻りコイルスプリングにより、ロック１７が起立されるとともに、ロックプッシャ１６が左方へ戻り、カード束９がロック１７により係止された後、カード８の端面８ａにＬＥＤ２６からの光が照射され、この反射光が透明板２４を通過してイメージセンサ２７の検出面（図示されず）に達することができる。
【００５３】
イメージセンサ２７で読み取られたカード８の読み取りコード８ｂの情報がコンピュータ基板２９に送信され、カードゲーム機１はゲームを開始することができる。
【００５４】
このカード束９がカード束収納ロック装置１０のカード束収納ケース１１に装入されると、コンピュータ基板２９からの制御信号により、ソレノイド１８の通電が解除されて、図示されない復動用のコイルスプリングの付勢力でロックプッシャ１６は後退し、ロック１７は図１３に図示された倒伏状態から、図１２に図示の起立状態に復帰することができるので、カード束９はカード束収納ロック装置１０のカード束収納ケース１１から引き出すことができない状態となる。
【００５５】
この状態では、カード束収納ケース１１の左右両側にある閉塞部１１ｃによって、最外側のカード８を外側方へ曲げて抜くことができなくなり、ゲームの不正行為が未然に阻止される。
【００５６】
また、ＬＥＤホルダ２５やイメージセンサ２７より手前側に透明板２４が張設されているため、カード束収納ケース１１のカード束装入口１１ｂから棒のようなもので、ＬＥＤホルダ２５やイメージセンサ２７が破損されることが防止可能となる。
【００５７】
図１ないし図２３に図示の実施の形態では、ロックプッシャ１６のラック部１６ｃがロック１７のピニオン部１７ｂに常時噛み合うように構成されているが、図２４に図示されるように、ロック１７の起立状態で、ロックプッシャ１６のラック部１６ｃはロック１７のピニオン部１７ｂより外れ、図示されないロック機構等でロック１７を起立状態に保持させるようにしてもよい。
【００５８】
さらに、図２５ないし図２７に図示されるように、左右１対の係止板３２が軸３３を介して図示されたハウジングに旋回自在に枢支され、係止板３２の先端部３２ａとハウジング側壁３４とに引張コイルスプリング３５が張設され、軸３３より奥側にストッパ３６が設けられるとともにさらにその奥側中央にストッパ３７が設けられ、ストッパ３７の手前側にセンサ３８が設けられた実施の形態でよく、図２５、図２６に図示される非装入状態では、カード束９を奥側に向って押し込むと、カード束９の奥側端９ａが係止板３２の奥側片３２ａに突き当って係止板３２の奥側片３２ａが開かれ、係止板３２の手前側折曲片３２ｂがカード束９の手前側端９ｂに係止して、カード束９の引き出しが阻止されるようになっている。
【図面の簡単な説明】
【図１】カードゲーム機の全体を示す斜視図である。
【図２】サテライトの要部斜視図である。
【図３】カード束収納ケースの斜視図でカード束がカード束収納ケースに装入され、ロックの係止状態を示した図面である。
【図４】カード束収納ケースの斜視図でカード束がカード束収納ケースに装入され、ロックの係止解除状態を示した図面である。
【図５】カード束収納ケースの斜視図でカード束がカード束収納ケースより取り出された状態を示した図面である。
【図６】カード束収納ケースの右側面図である。
【図７】カード束収納ケースの平面図である。
【図８】カード束収納ケースの正面図である。
【図９】カバーを取り外した状態のカード束収納ロック装置の右側面図である。
【図１０】カバーを取り外した状態のカード束収納ロック装置の平面図である。
【図１１】カバーを取り外した状態のカード束収納ロック装置の正面図である。
【図１２】カード束収納ケースの左右中央部を縦断した縦断側面図で、ロックが起立した状態を図示した図面である。
【図１３】カード束収納ケースの左右中央部を縦断した縦断側面図で、ロックが倒伏した状態を図示した図面である。
【図１４】カードハウジングの右側面図である。
【図１５】カードハウジングの平面図である。
【図１６】カードハウジングの正面図である。
【図１７】カードコースタの右側面図である。
【図１８】カードコースタの平面図である。
【図１９】カードコースタの正面図である。
【図２０】ロックプッシャの右側面図である。
【図２１】ロックプッシャの平面図である。
【図２２】ロックプッシャの正面図である。
【図２３】カード束の斜視図である。
【図２４】他の実施形態の図１２の要部に対応する部分の右側面図である。
【図２５】さらに他の実施形態の概略斜視図である。
【図２６】図２５の平面図で、カード束の未装入状態を図示した図面である。
【図２７】図２５の平面図で、カード束の装入状態を図示した図面である。
【図２８】カードゲーム機の流れを示すフローチャートである。
【符号の説明】
１…カードゲーム機、２…メインモニタ、３…ゲーム機本体、４…サテライト、５…モニター、６…メタル投入口、７…本体ケース、８…カード、９…カード束、１０…カード束収納ロック装置、１１…カード束収納ケース、１２…ネジ、１３…ベース、１４…カードハウジング、１５…カードコースタ、１６…ロックプッシャ、１７…ロック、１８…ソレノイド、１９…フラップ、２０…軸、２１…カードリーダベース、２２…リフレクターハウジング、２３…ゴム片、２４…透明板、２５…ＬＥＤホルダ、２６…ＬＥＤ、２７…イメージセンサ、２８…ブラケット、２９…コンピュータ基板、３０…カード装入検出センサ投光部、３１…カバー、３２…係止板、３３…軸、３４…ハウジング側壁、３５…引張コイルスプリング、３６…ストッパ、３７…ストッパ、３８…センサ。
【図１】
2004248925.tif 000003
【図２】
2004248925.tif 000004
【図３】
2004248925.tif 000005
【図４】
2004248925.tif 000006
【図５】
2004248925.tif 000007
【図６】
2004248925.tif 000008
【図７】
2004248925.tif 000009
【図８】
2004248925.tif 000010
【図９】
2004248925.tif 000011
【図１０】
2004248925.tif 000012
【図１１】
2004248925.tif 000013
【図１２】
2004248925.tif 000014
【図１３】
2004248925.tif 000015
【図１４】
2004248925.tif 000016
【図１５】
2004248925.tif 000017
【図１６】
2004248925.tif 000018
【図１７】
2004248925.tif 000019
【図１８】
2004248925.tif 000020
【図１９】
2004248925.tif 000021
【図２０】
2004248925.tif 000022
【図２１】
2004248925.tif 000023
【図２２】
2004248925.tif 000024
【図２３】
2004248925.tif 000025
【図２４】
2004248925.tif 000026
【図２５】
2004248925.tif 000027
【図２６】
2004248925.tif 000028
【図２７】
2004248925.tif 000029
【図２８】
2004248925.tif 000030